(57)【要約】      （修正有）【課題】イカのヤエン釣りにおいて、一番難しかった大きくしゃくって合わせる操作が簡単で、イカを確実にかつ効率的に捕獲できる多動式のイカ釣り用ヤエンを提供する。【解決手段】ヤエンの後部の上部に２本、下部に１本の掛け針付きシャフト１４ａ、１４ｂ、１４ｃを設け、長方形の平スライドシャフト１２に固定した副幹を、主幹の前部にもうけた輪ゴム１３の引張力で掛け針付きシャフトを自動的に絞り込む構造を特徴とする。【選択図】図１
0003198500.tif 000002
【実用新案登録請求の範囲】
【請求項１】
ヤエンをイカまで導く主幹と、イカを捕獲する為の針付きシャフトを長方形の平スライドシャフトの後部に固定した副幹からなる多動式のイカ釣り用ヤエンで、水圧受けプレートが小さなしゃくりで水圧を受け、ロックレバーロッドが下方に移動して長方形の平スライドシャフトのロックを解除する事によって主幹に設けた輪ゴムの引張力が作動し掛け針付きシャフトが、掛け針付きシャフト絞り込みリングの内部に沿って自動的に絞り込まれる多動式のイカ釣り用ヤエンであり、掛け針付きシャフトを絞り込む動力の輪ゴムを引張力のあるスプリングに変える事も可能な構造を有する多動式のイカ釣り用ヤエン。
【請求項２】
主幹は直角三角形の形状で構成して斜辺部の前部に１本、後部１本の道糸通しリンクを固定し、対辺部の上部に輪ゴム固定レバーを設け隣辺部より下方に長くしたシャフトに長方形の平スライドシャフト受けと輪ゴムホルダーを設ける、隣辺部の前方に、ロックレバーと水圧受けプレートを設けたロックレバーロッドを、可動可能な状態で下部に取り付けた、掛け針付きシャフト絞り込みリングを固定した構造で、輪ゴムホルダーに引張力のあるスプリング掛ける事も可能な構成する事を特徴とする請求項１記載の多動式のイカ釣り用ヤエン。
【請求項３】
ロックレバー受け兼輪ゴム受けと直径０，８ミリのステンレス鋼に掛け針を設けた、掛け針付きシャフトを長方形の平スライドシャフトの後部に固定した副幹を、主幹の掛け針付きシャフト絞り込みリングの後方から内部に通し長方形のスライドシャフト受けの内部に通して合体した構造で、長方形の平スライドシャフトは前方の先端部を直角に曲げる事によって後方に抜ける事を防いでいる。多動式のイカ釣り用ヤエンは、主幹に輪ゴム固定レバーで固定された輪ゴムを、輪ゴムホルダーを介して副幹のロックレバー受け兼輪ゴム受けに掛け、ロックレバーロッドに設けたロックレバーを長方形のスライドシャフトに掛けてロックした状態で投入するヤエンであり、輪ゴムを引張力のあるスプリングに変更して使用する事も可能である。投入後イカに向かって進行中は水圧受けプレートが水圧で上方に押される為、進行中にロックが解除される事はなく針付きシャフトが大きく開いた状態でイカに向かって進む構造で構成する事を特徴とする請求項１、請求項２記載の多動式のイカ釣り用ヤエン。
【考案の詳細な説明】
【技術分野】
【０００１】  本考案は、イカのヤエン釣りにおいて使用するヤエンに関するものである。
【背景技術】
【０００２】  従来のヤエンは、一体式、水圧式、折りたたみ式等があったがいずれのヤエンも、上部の道糸通しリンクに道糸を通し海面に投入して餌を捕獲しているイカにヤエンが到着後大きくしゃくる、又は大きくしゃくる事で掛け針付きシャフトを反転させる等、竿の操作で捕獲する構造で構成されている。
【先行技術文献】
【特許文献】
【０００３】
【特許文献１】  特開平２００７−０９７５６５号公報
【特許文献２】  特開平２００７−０４４０１９号公報
【特許文献３】  特開平２０１２−１１０３１４号公報
【特許文献４】  特開平２００７−２６３９３２号公報
【考案の概要】
【考案が解決しようとする課題】
【０００４】    従来のヤエンは、イカの餌になる子魚の尾鰭に針を掛け海に投入し、イカが餌を捕獲し頭部食いちぎり捕食を始めた頃を見計らって、ヤエンがイカに一番掛かりやすいとされる、海面と道糸の角度が４５度位になるまで引き寄せてからヤエンを投入して到着した事を確認してから大きくしゃくって合わせる操作で捕獲していたが、餌を捕食中のイカを引き寄せる、投入したヤエンをイカの下部まで進め、大きくしゃくって合わせる等の操作がイカに違和感を与え捕食中の餌を放した逃げる事がある。又釣り場の状態、餌を捕獲したイカの位置、海の深さ等、状況は千差万別で特に捕食しながら完全に海面に浮いたイカや釣り場の足元に近寄って来たイカに対して従来のヤエンでは捕獲する事が難しかった。
【課題を解決するための手段】
【０００５】  上記問題を解決する為に、本考案の自動しゃくりヤエンは、針付きシャフトの直径は０，８ミリのしなやかなステンレス鋼で、掛け針の重量でも撓む事は無く、又上部２本の掛け針付きシャフトが道糸を下方から跨ぐ様に道糸通しリンクに通し海面に投入しても、平スライドシャフト、スライドシャフト受け、掛け針絞りシャフト込みリングで捕食中のイカに向かって進行中に道糸に掛け針付きシャフトが回転し絡む事を防ぎ、更に掛け針付きシャフトは大きく開いた状態で進み捕食中のイカに違和感を与え無い、又従来のヤエンの様に海面と道糸の角度が４５度位になるまで引き寄せる操作は必要無く、捕食中のイカにヤエンが到着した事が確認出来ればどの様状況でも、竿と道糸と捕食中のイカが一直線になった状態で、９０度竿を立てる位の小さなしゃくりで水圧受けプレートが水圧を受けロックレバーを解除して輪ゴムの引張力で掛け針付きシャフを前方に引っ張り瞬間的に上下から絞り込む為、従来のヤエンでは難しかった、捕食中のイカに違和感を与え無い程度で引き寄せる、違和感を与え無い様にイカの下部までヤエンを進める、大きくしゃくって合わせる等の操作を無くする構造にする事で問題点を解決している。
【考案の効果】
【０００６】  本考案の自動しゃくりヤエンは、捕食中のイカまで到着すれば竿と道糸と捕食中のイカが一直線に成った状態で９０度竿を立てる位の小さなしゃくりで水圧受けプレートが水圧を受けロックを解除して輪ゴムの引張力で掛け針付きシャフ自動的に前方に引っ張り瞬間的に上下から絞り込む為、釣り場の状態、状況に関係無く誰でもイカの捕獲率が高くなる。
【図面の簡単な説明】
【０００７】
【図１】掛け針付きシャフトを絞りこんだ斜視図である。
【図２】投入する前の斜視図である。
【図３】主幹の側面図である。
【図４】副幹の側面図である。
【図５】掛け針付きシャフト絞り込みリングと掛け針付きシャフトの位置関係の後方からの正面図である。
【図６】ロックレバー受け兼輪ゴム受けとロックレバーの位置関係の正面図である。
【図７】ヤエン前方からのスライド受けシャフトの正面図である。
【図８】イカに掛け針付きシャフトが掛かった側面図である。
【考案を実施するための形態】
【０００８】    上記問題を解決する為に、本考案の図１のヤエンは、図３の主幹と図４の副幹を合体して構成する多動式ヤエンで次の様な構造を有する。図１はロックが解除され掛け針付きシャフトが絞り込まれた状態の全体の斜視図で、図１の１の主幹に設けた図１の４の輪ゴム固定レバーに図１の１３の輪ゴムを掛けて、図１の６の輪ゴムホルダーを介して図１の１２の長方形の平スライドシャフトに設けた図１の１０のロックレバー受け兼輪ゴム受けに輪ゴムを掛けて、図１の８のロックレバーロッドに設けた図１の９のロックレバーを掛けてロックする。この状態が図２の投入する前の斜視図で、図２の１４ａ、１４ｂ、の掛け針付きシャフトが道糸を下から跨ぐ様に図２の２の道糸通しリンク、図２の３の道糸通しリンクに図２の１６道糸を通し海面に投入する。図２の１２の長方形の平スライドシャフトは図２の５長方形の平スライド受けの内部を通し掛け針付きシャフトは、図２の７の掛け針付きシャフト絞り込みリングの内部に通しているので回転する事なくイカに向かって進み、ヤエンが到着すれば小さなしゃくりで図２の１１の水圧受けプレートに水圧が掛かり図２の８のロックレバーを下方に押すことで図２の９のロックレバーを解除し掛け針付きシャフトを輪ゴムの引張力で自動的に絞り込み図１状態になり図８の様にイカを捕獲する構造でヤエンを構成している。
【実施例】
【０００９】本考案の自動しゃくりヤエンは、掛け針付きシャフトを絞り込む動力に輪ゴムを使用しているが図１の６の輪ゴムホルダーに引張力のあるスプリングを掛け、図１の１０のロックレバー受け兼輪ゴム受けに掛けて、掛け針付きシャフトを絞り込む動力として使用する事も可能である。
【符号の説明】
【０００１０】１      ヤエン主幹
２      道糸通しリンク
３      道糸通しリンク
４      輪ゴム固定レバー
５      長方形の平スライドシャフト受け
６      輪ゴムホルダー
７      掛け針付きシャフト絞り込みリング
８      ロックレバーロッド
９      ロックレバー
１０    ロックレバー受け兼輪ゴム受け
１１    水圧受けプレート
１２    長方形の平スライドシャフト
１３    輪ゴム
１４ａ  掛け針付きシャフト
１４ｂ  掛け針付きシャフト
１４ｃ  掛け針付きシャフト
１５    イカ
１６    道糸
１７    ヤエン後方
１８    ヤエン前方
【図１】
0003198500.tif 000003
【図２】
0003198500.tif 000004
【図３】
0003198500.tif 000005
【図４】
0003198500.tif 000006
【図５】
0003198500.tif 000007
【図６】
0003198500.tif 000008
【図７】
0003198500.tif 000009
【図８】
0003198500.tif 000010
【手続補正書】
【提出日】平成27年4月10日(2015.4.10)
【手続補正１】
【補正対象書類名】実用新案登録請求の範囲
【補正対象項目名】全文
【補正方法】変更
【補正の内容】
【実用新案登録請求の範囲】
【請求項１】
ヤエンをイカまで導く主幹と、イカを捕獲する為の掛け針付きシャフトを長方形の平スライドシャフトに固定した副幹で構成する多動式のイカ釣り用ヤエン。
【請求項２】
直角三角形の形状で構成して斜辺部の前部に１本、後部に１本の道糸通しリンクを固定し、対辺部の上部に輪ゴム固定レバーを設け、隣辺部より下方に長くしたシャフトに前後方向にスライドが可能に貫通して平スライドシャフトの回転を防ぐ長方形の平スライドシャフト受けと輪ゴムの引張力を前後方向に変える為の輪ゴムホルダーを設ける、隣辺部の前方に固定した掛け針付きシャフト絞り込みリングの下部にロックレバーと水圧受けプレートを設けたロックレバーを可動可能な状態で取りつけた主幹と、長方形の平スライドシャフトの後部に複数の掛け針付きシャフトを、針側先端部が拡がった状態で固定し、固定部前方にロックレバー受け兼輪ゴム受けを設けた副幹で構成する構造の請求項１記載の多動式のイカ釣り用ヤエン。
【請求項３】
副幹が前方にスライドした時に後部の掛け針付きシャフトを絞り込む為に、主幹の後部に設けた掛け針付きシャフト絞り込みリングの後方から内部を副幹の前部から通し更に先端部を長方形の平スライドシャフトの内部を通し、先端部を直角に曲げて副幹が後方に抜ける事を防ぐ構造で、請求項１又は請求項２記載の多動式のイカ釣り用ヤエン。